(57)【要約】      （修正有）【課題】ユーザの意図した場所にフォーカスレンズを停止させる。【解決手段】焦点調節を行うフォーカスレンズと、フォーカスレンズを光軸方向に移動させ焦点調節するレンズ駆動手段と、レンズ駆動手段を制御するレンズ制御手段と、フォーカスレンズの操作を行うレンズ操作手段と、レンズ操作手段の位置を検出するレンズ操作検出手段と、フォーカスレンズの光軸方向位置を検出するレンズ位置検出手段と、撮影条件及びレンズ位置検出手段の結果からピント面距離を算出するピント面距離算出手段と、ピント面距離算出結果を基にピント面距離の表示を行う表示手段１５と、ピント面距離算出手段の結果に基づいて表示手段を制御し、フォーカスレンズが駆動中であっても、レンズ操作手段の操作が終了した際には、ピント面距離表示の更新をやめるよう表示手段を制御する表示制御手段と、を有する。【選択図】図３
2019008084.tif 000002
【特許請求の範囲】
【請求項１】
焦点調節を行うフォーカスレンズと、
該フォーカスレンズを光軸方向に移動させ焦点調節するレンズ駆動手段と、
該レンズ駆動手段を制御するレンズ制御手段と、
前記フォーカスレンズの操作を行うレンズ操作手段と、
該レンズ操作手段の位置を検出するレンズ操作検出手段と、
前記フォーカスレンズの光軸方向位置を検出するレンズ位置検出手段と、
撮影条件及びレンズ位置検出手段の結果からピント面距離を算出するピント面距離算出手段と、
前記ピント面距離算出結果を基にピント面距離の表示を行う表示手段と、
前記ピント面距離算出手段の結果に基づいて前記表示手段を制御し、前記フォーカスレンズが駆動中に前記レンズ操作手段の操作が終了した際には、ピント面距離表示の更新を停止するよう前記表示手段を制御する表示制御手段と、
を有することを特徴としたレンズ鏡筒。
【請求項２】
前記レンズ操作手段の操作が終了した時点での、前記フォーカスレンズの位置を記憶し、その位置を新たな停止目標位置として前記フォーカスレンズを駆動するレンズ制御手段を有する請求項１に記載のレンズ鏡筒。
【請求項３】
焦点調節を行うフォーカスレンズと、
該フォーカスレンズを光軸方向に移動させ焦点調節するレンズ駆動手段と、
該レンズ駆動手段を制御するレンズ制御手段と、
前記フォーカスレンズの操作を行うレンズ操作手段と、
該レンズ操作手段の位置を検出するレンズ操作検出手段と、
前記フォーカスレンズの光軸方向位置を検出するレンズ位置検出手段と、
撮影条件及びレンズ位置検出手段の結果からピント面距離を算出するピント面距離算出手段と、
前記ピント面距離算出結果を基にピント面距離の表示を行う表示手段と、
前記ピント面距離算出手段の結果に基づいて前記表示手段を制御し、前記フォーカスレンズが駆動中に前記レンズ操作手段の操作が終了した際には、ピント面距離表示の更新を停止するよう前記表示手段を制御する表示制御手段と、
を有することを特徴としたカメラシステム。
【請求項４】
前記レンズ操作手段の操作が終了した時点での、前記フォーカスレンズの位置を記憶し、その位置を新たな停止目標位置として前記フォーカスレンズを駆動するレンズ制御手段を有する請求項３に記載のカメラシステム。
【発明の詳細な説明】
【技術分野】
【０００１】
本発明は、デジタルカメラやデジタルビデオカメラ等における、ピント面距離情報の表示方法に関する。
【背景技術】
【０００２】
従来、手動で合焦レンズを繰り出して（以下、マニュアルフォーカスと呼ぶこととする）撮影被写体に焦点を合わせる撮影手法がある。このような場面においてユーザは、レンズ鏡筒やカメラに表示される、ピント面距離（レンズによって予定結像面と共役となる面までのカメラからの距離をピント面距離と呼ぶこととする）の表示を参考に、マニュアルフォーカス操作を行う。なお以下では、ピント面距離を示す表示方法の一つである、どの距離にピント面距離があるのかを示す数値目盛を距離目盛と呼ぶこととする。
【０００３】
近年、カメラシステムにおいて、フォーカス操作環の回転操作に応じてフォーカスレンズを駆動する制御が行われている。そしてこのような手法においてフォーカスレンズ位置から、ピントの合うピント面距離を算出し、表示手段を用いて表示する方法が知られている。さらに、特許文献１には、マニュアルフォーカス操作中のピント面距離表示をフォーカス操作環の回転位置から求めるという技術の開示がある。
【先行技術文献】
【特許文献】
【０００４】
【特許文献１】特開２００７−１９９５５１号公報
【発明の概要】
【発明が解決しようとする課題】
【０００５】
しかしながら、特許文献１のようなピント面距離表示方法を行う場合、フォーカスレンズ位置からピント面距離を求めていないため、ピント面距離算出値に誤差を持つ可能性がある。また、マニュアルフォーカス操作環の回転位置とフォーカスレンズの位置を対応付ける必要がある。
【０００６】
一方で、マニュアルフォーカス操作中に、フォーカスレンズ位置からピント面距離を算出すると、フォーカス操作環の操作に対してピント面距離表示が遅れてしまうと考えられる。なぜならば、フォーカス操作環からの駆動指令を受けた後にフォーカスレンズが駆動されるためのメカ応答遅れが生ずるためである。この場合、ユーザがマニュアルフォーカス操作を終了後、ピント面距離表示が遅れて変動するため、ユーザの意図した場所にフォーカスレンズを停止させることができないといった問題がある。
【０００７】
本発明は、上記課題に鑑みてなされたものであり、距離目盛のようなピント面距離表示を見ながらフォーカスレンズを操作している際に、ユーザの意図した場所でフォーカスレンズを停止させることを目的とする。
【課題を解決するための手段】
【０００８】
上記の目的を達成するために、本発明に係るレンズ鏡筒は、
焦点調節を行うフォーカスレンズと、
該フォーカスレンズを光軸方向に移動させ焦点調節するレンズ駆動手段と、
前記フォーカスレンズの操作を行うレンズ操作手段と、
該レンズ操作手段の位置を検出するレンズ操作検出手段と、
前記フォーカスレンズの光軸方向位置を検出するレンズ位置検出手段と、
撮影条件及びレンズ位置検出手段の結果からピント面距離を算出するピント面距離算出手段と、
前記ピント面距離算出結果を基にピント面距離の表示を行う表示手段と、
前記ピント面距離算出手段の結果に基づいて前記表示手段を制御し、前記フォーカスレンズが駆動中であっても、前記レンズ操作手段の操作が終了した際には、ピント面距離表示の更新をやめるよう前記表示手段を制御する、表示制御手段と、
を有することを特徴とする。
【発明の効果】
【０００９】
本発明に係るレンズ鏡筒によれば、マニュアルフォーカス操作中にユーザが意図した通りの場所にフォーカスレンズを停止させることができる。
【図面の簡単な説明】
【００１０】
【図１】本発明の第１実施形態システム図
【図２】本発明の第１実施形態の表示方法を説明する図
【図３】本発明の第１実施形態の動作を説明する図
【図４】本発明の第１実施形態の表示更新のフローチャート
【発明を実施するための形態】
【００１１】
以下に、本発明の好ましい実施の形態を、添付の図面に基づいて詳細に説明する。
【実施例１】
【００１２】
図１〜４は本発明の第１実施形態を説明する図であり、図１は本発明の実施形態に関わるカメラシステムの中央断面図及び電気的構成を示すブロック図である。図１（ａ）は本実施例におけるカメラシステムの中央断面図である。カメラシステムは本発明の対象であるカメラ１とレンズ鏡筒２から構成される。図１（ｂ）は電気的な構成を示すブロック図である。
【００１３】
図１（ａ）において、１はカメラを、２はカメラに装着するレンズ鏡筒を、３は撮影光学系を、４は撮影光学系３の光軸を、５はカメラ１に設けられた撮像素子を、６はクイックリターン機構を、７は測距手段を、８は背面に設けられた表示手段を示している。９はカメラ１とレンズ鏡筒２の電気接点を、１０はレンズ鏡筒２に設けられたレンズシステム制御部を、１１はフォーカスレンズを、１２はフォーカスレンズ１１を撮影光軸４に沿って駆動させるレンズ駆動手段を示している。
【００１４】
また、１３はフォーカスレンズ１１の光軸方向の位置を検出するレンズ位置検出手段を、１４はレンズ鏡筒２に設けられたレンズ操作手段を、１５はレンズ鏡筒２に設けられた表示手段を、それぞれ示している。なお、レンズシステム１０には、ピント面距離の算出を行うピント面距離算出手段１０ａ、表示手段１５の表示を制御する表示制御手段１０ｂ、及び、レンズ駆動手段１２を制御するレンズ制御手段１０ｃを含む。
【００１５】
図１（ｂ）において、１６はレンズ鏡筒２に設けられた、レンズ操作手段１４の操作及び操作量を検出するレンズ操作検出部である。また、１７はカメラ１に設けられたカメラシステム制御部を、１８はカメラ１に対してユーザが行った操作を検出する操作検出部を、１９は画像処理部を、２０はメモリ手段をそれぞれ示している。
【００１６】
図１において、カメラ１およびレンズ鏡筒２からなるカメラシステムは、撮像系、画像処理系、記録再生系、制御系を有している。撮像系は、撮影光学系３  、撮像素子５、クイックリターン機構６（クイックリターン機構６は光路分割を行うハーフミラーを含む）、画像処理系は、画像処理部１９を含む。また、記録再生系は、メモリ手段２０、表示手段８を含み、制御系は、カメラシステム制御部１７、操作検出部１８、レンズシステム制御回路１０、レンズ駆動手段１２、および測距手段７を含む。レンズ駆動手段１２は、フォーカスレンズ１１に加えて、焦点レンズ、ブレ補正レンズ、絞りなどを駆動することができる。
【００１７】
撮像系は、物体からの光を、撮影光学系３を介して撮像素子５の撮像面に結像する光学処理系である。測距手段７の信号に基づいて撮影光学系３の状態をレンズ駆動手段１２によって変化させることで適当なピント位置を調整する。（いわゆるＡＦ動作）マニュアルフォーカスの場合には、レンズ鏡筒２に設けられたレンズ操作手段１４の操作量をレンズ操作検出部１６が検知し、操作量に応じてレンズ駆動手段１２を介してフォーカスレンズ１１を駆動する。その際に、レンズ位置検知手段１３の信号などを参照してレンズ鏡筒２のピントが合っている面を表示手段１５に提示する。この表示動作は本発明の要部なので後程詳しく説明する。また撮像素子５または不図示の測光センサの信号に基づいて露光状態の設定を行う。（いわゆるＡＥ動作）ここでいう露光状態とは、撮像素子５への露光時間、撮影光学系３の絞り値、撮像素子５の信号の増幅率などのことである。
【００１８】
画像処理部１９は、内部にＡ／Ｄ変換器、ホワイトバランス回路、ガンマ補正回路、補間演算回路等を有しており、記録用の画像を生成することができる。メモリ手段８は実際の記憶部に加えて記録に必要な処理回路を備えている。メモリ手段２０は、記録部へ出力を行うとともに、背面の表示手段８に出力する像を生成、保存する。また、メモリ手段２０  は、予め定められた方法を用いて画像、動画、音声などの圧縮を行う。図２（ｂ）においては、メモリ手段２０は概念的に書かれており、外部から挿入される記憶メディアに相当するように見えるが、カメラ１が備える、揮発／不揮発メモリを含んでいる。
【００１９】
カメラシステム制御部１７は撮像の際のタイミング信号などを生成して出力する。外部操作に応動して撮像系、画像処理系、記録再生系をそれぞれ制御する。例えば、不図示のシャッターレリーズ釦の押下を操作検出部１８が検出し、撮像素子５の駆動、画像処理部１９の動作、メモリ手段２０の圧縮処理などを制御する。さらに背面の表示手段８によって液晶モニタ等に情報表示を行う情報表示装置の各セグメントの状態を制御する。
【００２０】
次に、制御系の光学系の調整動作について説明する。カメラシステム制御部１７には画像処理部１９および測距手段７が接続されており、撮像素子５および測距手段７からの信号等を元に適切な焦点位置、絞り位置を求める。カメラシステム制御部１７は、電気接点９を介してレンズシステム制御部１０に指令を出し、レンズシステム制御部１０はレンズ駆動手段１２を適切に制御する。さらに、レンズシステム制御部１０には不図示の手ぶれ検出センサが接続されており、手ぶれ補正を行うモードにおいては、手ぶれ検出センサの信号を元にレンズ駆動手段１２を介してブレ補正レンズを適切に制御する。
【００２１】
本発明では、不図示の光学ファインダを介して被写体観察を行うことや、撮像素子５で電子画像を撮影しながらファインダ表示手段である電子ビューファインダでの被写体観察を行うこと（いわゆるライブビュー撮影）が可能な構成となっている。またマニュアルフォーカスにおいては、レンズ鏡筒２に設けられた表示手段１５を観察しながらピント調整動作を行うことを想定している。
【００２２】
本発明は、マニュアルフォーカス撮影における問題点を解決する事が目的であり、その為のカメラシステムの動作について、図１の構成を用いてユーザの作業に沿い説明してゆく。
【００２３】
まず、ユーザがカメラ１においてマニュアルフォーカスモードを選択する等の操作により、マニュアルフォーカスによりピント調節を行うよう設定を行う。次に、ユーザがレンズ操作手段１４を操作すると、レンズ操作検出手段１６がその動きを検知し、レンズ制御手段１０ｃにてフォーカスレンズ１１の駆動量を決め、レンズ駆動手段１２によりフォーカスレンズ１１を駆動する。その後、駆動したフォーカスレンズ１１の位置をレンズ位置検出手段１３で検知し、そのときの焦点距離と併せてピント面距離算出手段１０ａでピント面距離が算出される。算出されたピント面距離は、表示制御手段１０ｂで表示画像を生成し、表示手段１５上に表示される。
【００２４】
上記のようにピント面距離表示を行う際に、レンズ操作検出部１６において、ユーザがマニュアルフォーカス操作を終了したことを検知した際には、表示制御手段１０ｂにて表示手段１５上の表示を更新することを止める。この時、表示手段１５にはマニュアルフォーカス操作終了時の表示画像を表示させ続ける。その際、フォーカスレンズ１１がレンズ操作手段１４の操作を終了した時点から、ピント面距離表示上で表示手段１５の表示分解能以上に動いてしまう場合には、新たにフォーカスレンズ１１の停止目標位置を設定し、駆動させる。つまり、表示制御手段１０ｂにおいて、表示手段１５の更新を止めるとともに、マニュアルフォーカス操作終了時点で表示されているピント面距離にレンズ鏡筒２のピントが合うように、フォーカスレンズ１１を駆動させる。レンズ制御手段１０ｃの動作で説明すると、マニュアルフォーカス操作終了時点でのフォーカスレンズ位置をレンズ位置検出手段１３により検出し、そこを新たな停止目標位置として、レンズ駆動手段１２を動かし、フォーカスレンズ１１を制御する。
【００２５】
次に図２を用いて、本発明の表示手段の具体的な表示内容及び、フォーカスレンズ位置とレンズ鏡筒２のピント面距離の関係について説明する。図２（ａ）はカメラシステムを上から見た図である。図２（ｂ）はフォーカスレンズ位置とレンズ鏡筒２のピント面距離の関係を示すグラフである。
【００２６】
図２（ａ）では、図１（ａ）と同じものには同じ番号を付した。図２（ａ）において２１は固定指標であり、表示手段１５に提示された情報を読み取る位置を指示している。また、２２は距離目盛の一つを表しており、図２（ａ）では、複数の距離目盛を用いてレンズ鏡筒２の現在のピント面距離を提示している（以下、このようなピント面距離の表示を距離目盛表示と呼ぶ）。図２（ａ）の例では、表示手段１５にレンズ鏡筒２のピント面距離が提示されており、固定指標２１と対向している距離目盛が表す、３．０（ここでは単位はｍとする）がレンズ鏡筒２の現在のピント面距離であることを示している。表示手段１５にレンズ鏡筒２のピント面距離を提示することで、マニュアルフォーカス操作によるピント面調節を容易に行うことが可能となる。
【００２７】
図２（ｂ）を用いて、表示手段１５に提示するピント面距離の算出方法について説明する。図２（ｂ）の横軸はフォーカスレンズ位置、縦軸はレンズ鏡筒２のピント面距離を示しており、２３で示した太い実線は焦点距離が５０ｍｍの理想レンズのフランジバック（像面からの距離）とレンズ鏡筒２のピント面距離の関係を示している。理想レンズでは１／ａ＋１／ｂ＝１／ｆで書かれるいわゆる結像公式によってフランジバック長さを決めるとレンズ鏡筒２のピント面距離が一意に導かれる。ピント面距離算出手段１０ａにおいて、ピント面距離を算出する際には、レンズ位置検出手段１３により得られた、フォーカスレンズ位置を用いて、図２（ｂ）の曲線２３に沿ってピント面距離を算出する。なお、ピント面距離の算出は、撮影条件におけるフォーカスレンズ位置とピント面距離を対応させるテーブルを記憶しておき、該テーブルを参照することで求めてもよい。
【００２８】
本発明はユーザがマニュアルフォーカス操作中に意図した通りの場所にフォーカスレンズを停止させることが目的である。そのためのカメラシステム及び、ピント面距離表示の動作について、図３を用いてユーザの作業に沿い、説明していく。図３はレンズ操作手段１４を用いてマニュアルフォーカス操作を行う際の、表示手段１５に表示されるピント面距離情報及び、レンズ操作手段１４の操作速度とフォーカスレンズ位置の時間変化を示した図である。なお、本実施例ではレンズ操作手段１４は回転部材とし、回転角速度を操作速度とした。
【００２９】
図３（ａ）では、図１（ａ）及び、図２（ａ）と同じものには同じ番号を付した。図３（ａ）において３１は距離目盛２２を列状に並べた距離目盛列を示しており、距離目盛を用いたピント面距離表示では、この距離目盛列３１全体が左右に移動する。その後、ピント面距離を知る場合は、距離目盛列３１上の固定指標２１に対応する距離目盛を読むことにより、現在のピント面距離を読み取る。３２は距離目盛列３１の移動方向を示しており、ここでは、ピント面距離が無限側から至近側へ動く場合について説明する。
【００３０】
図３（ｂ）はレンズ操作手段１４の操作終了時の表示手段１５を示しており、図３（ｃ）はレンズ操作手段１４の操作終了後に表示が変化する場合の表示手段１５を示している。図３（ｄ）はレンズ操作手段１４の操作速度とフォーカスレンズ位置の時間変化を示した図であり、横軸は時間ｔを、縦軸の第１軸はフォーカスレンズ位置Ｌを、縦軸の第２軸はレンズ操作手段１４の回転角速度ωを示している。
【００３１】
図３（ｄ）の３３はレンズ操作手段１４を無限方向から至近方向へ操作した際の、フォーカスレンズ位置の時間変化を表したグラフであり、３４ａは本発明を用いた場合の時間変化を実線で、３４ｂは本発明を用いなかった場合の時間変化を破線で示している。３３はレンズ操作手段１４を無限方向から至近方向へ操作した際の、レンズ操作手段１４の操作回転速度の時間変化を表したグラフであり、３６はレンズ操作手段１４の操作終了時刻ｔ１を、３５は時刻ｔ１におけるフォーカスレンズ位置Ｌ１を示している。
【００３２】
ユーザが表示手段１５に表示されるピント面距離表示を見ながらレンズ操作手段１４を無限側から至近側へ向けて操作回転角速度変化３３のようにマニュアルフォーカス操作を行った場合、表示手段１５ではまず図３（ａ）のようなピント面距離表示が行われる。その際距離目盛列３１は、矢印３２で示された方向へ変化していく。次にユーザが、例えばピント面距離が３ｍとなる位置にフォーカスレンズ１１を停止させたいと考えると、ユーザは表示手段１５が図３（ｂ）に示すような状態になったときに、レンズ操作手段１４の操作を終了する。そのときの時刻が図３（ｄ）における時刻ｔ１である。
【００３３】
本発明においては時刻ｔ１において、レンズ操作手段１４の操作をやめた時点で表示制御手段１０ｂは表示手段１５の更新を止め、図３（ｂ）の状態を表示し続ける。なぜならば前述したメカ応答遅れによりフォーカスレンズ１１が、レンズ操作手段１４の操作終了後も動いてしまう為に図３（ｃ）のようにレンズ操作手段１４の操作終了後に表示が変化してしまうからである。つまり、ユーザの意図と異なる場所にピント面が移動してしまう可能性がある。そのため表示制御手段１０ｂにおいて、表示手段１５の更新を止めるとともに、レンズ制御手段１０ｃはフォーカスレンズ位置Ｌ１を新たな停止目標位置として、３４ａで示したようにフォーカスレンズ１１がＬ１で停止するよう制御する。
【００３４】
次に、図４のフローチャートを用いて本発明におけるピント面距離表示の更新動作について説明する。
【００３５】
図４のフローはカメラシステムに電源が投入される度にスタートする。カメラシステムに電源が投入されると、まずステップ＃４００３へ進み、レンズシステム制御部１０はレンズ位置検出手段１３と通信を行い、フォーカスレンズ１１の光軸方向の位置を取得し、ステップ＃４００４へ進む。ステップ＃４００４では、ピント面距離算出手段１０ａはステップ＃４００３において得られたフォーカスレンズ位置及び、撮影光学系３の光学状態から、ピント面距離を算出し、ステップ＃４００５へ進む。
【００３６】
ステップ＃４００５では、表示制御手段１０ｂはステップ＃４００４で算出したピント面距離を基に、表示手段１５へ表示するピント面距離情報（表示する距離目盛画像）を生成し、表示手段１５の表示を更新し、ステップ＃４０１０へ進む。なお、ここで言う表示の更新は、表示するピント面距離情報の内容を更新するという意味であり、それとは別に、表示手段１５はあるリフレッシュレートで常に更新されていてもよい。ステップ＃４０１０では、レンズシステム制御部１０はカメラシステムの電源が切れているか否かを判定し、電源が切れていればステップ＃４０１１へ進み、切れていなければステップ＃４０００へ進む。カメラシステムの電源が切れており、ステップ＃４０１１へ進んだ場合は、表示制御手段１０ｂは表示手段１５上の表示を消し、フローを終了する。
【００３７】
ステップ＃４０００では、レンズシステム制御部１０はレンズ操作検出部１６と通信を行い、レンズ操作手段１４が操作されているか否かを判定し、操作されている場合は＃４００１へ、操作されていない場合はステップ＃４００６へ進む。
【００３８】
ステップ＃４０００において、レンズ操作手段１４が操作されていると判定され、ステップ＃４００１へ進んだ場合、ステップ＃４００１では、レンズ操作検出部１６と通信を行い、レンズ操作手段１４の操作量を取得し、ステップ＃４００２へ進む。ステップ＃４００２ではレンズ制御手段１０ｃは、ステップ＃４００１で取得したレンズ操作手段１４の操作量を基に、レンズ駆動手段１２を操作し、フォーカスレンズ１１を駆動させ、ステップ＃４００３へ進む。
【００３９】
ステップ＃４０００において、レンズ操作手段１４の操作が終了していると判定され、ステップ＃４００６へ進んだ場合、ステップ＃４００６では、表示制御手段１０ｂは表示手段１５の表示の更新を止め、ステップ＃４００７へ進む。ステップ＃４００７では、レンズシステム制御部１０はレンズ位置検出手段１３と通信を行い、レンズ操作手段１４の操作終了時点でのフォーカスレンズ１１の位置を取得し、ステップ＃４００８へ進む。ステップ＃４００８では、フォーカスレンズ１１の駆動が必要か否かを判定する。つまり、レンズシステム制御部１０はステップ＃４００７で取得したフォーカスレンズ１１の位置と現在のフォーカスレンズ１１の位置を比較し、ピント面距離表示に直した場合に、表示手段１５の表示分解能以上にピント面距離が変化するか否かを判定する。ピント面距離が表示手段１５の表示分解能以上に動く場合、つまりフォーカスレンズ１１を動かす必要があると判定された場合は、ステップ＃４００９へ、そうでない場合はステップ＃４０１０へ進む。なお、ステップ＃４００７では、レンズ操作手段１４の操作が終了した時点での、表示手段１５に表示されているピント面距離を記憶し、そのピント面距離に対応するフォーカスレンズ位置を新たな停止目標位置として記憶してもよい。そのようにすることで、レンズ操作手段１４を停止させた際にピント面距離表示が実際のレンズ位置に対してすでに遅延している場合も、ユーザが表示手段１５を見ながらレンズ操作手段１４を操作し、停止させた場所にフォーカスレンズを停止させることが可能となる。
【００４０】
ステップ＃４００９では、レンズ制御手段１０ｃはステップ＃４００７で取得した、レンズ操作手段１４の操作終了時のフォーカスレンズ１１の位置を目標値として、レンズ駆動手段１２を動かし、フォーカスレンズ１１を駆動させ、ステップ＃４０１０へ進む。このようにして、レンズシステムに電源が投入されている間、上記のループを繰り返す。
【００４１】
以上説明したように、本発明においては、
・焦点調節を行うフォーカスレンズ１１と、
・該フォーカスレンズを光軸方向に移動させ焦点調節するレンズ駆動手段１２と、
・該レンズ駆動手段を制御するレンズ制御手段１０ｃと、
・前記フォーカスレンズの操作を行うレンズ操作手段１４と、
・該レンズ操作手段の位置を検出するレンズ操作検出手段１６と、
・前記フォーカスレンズの光軸方向位置を検出するレンズ位置検出手段１３と、
・撮影条件及びレンズ位置検出手段の結果からピント面距離を算出するピント面距離算出手段１０ａと、
・前記ピント面距離算出結果を基にピント面距離の表示を行う表示手段１５と、
・前記ピント面距離算出手段の結果に基づいて前記表示手段を制御し、前記フォーカスレンズが駆動中であっても、前記レンズ操作手段の操作が終了した際には、ピント面距離表示の更新をやめるよう前記表示手段を制御する、表示制御手段１０ｂとでレンズ鏡筒を構成する。
【００４２】
これにより、マニュアルフォーカス操作中にユーザが意図した通りの場所にフォーカスレンズを停止させることが可能となった。
【符号の説明】
【００４３】
１  カメラ、２  レンズ鏡筒、３  撮影光学系、１０ａ  ピント面距離算出手段、
１０ｂ  表示制御手段、１０ｃ  レンズ制御手段、１１  フォーカスレンズ、
１２  レンズ駆動手段、１３  レンズ位置検出手段、１４  レンズ操作手段、
１５  表示手段、１６  レンズ操作検出部、２１  固定指標、３１  距離目盛列
【図１】
2019008084.tif 000003
【図２】
2019008084.tif 000004
【図３】
2019008084.tif 000005
【図４】
2019008084.tif 000006